(57)【要約】【課題】ポリオレフィン系発泡体を用いたことによる好ましい特徴を有していることはもとより、ガラス基板のボックス本体からの突出部分が保護される上、ガラス基板を縦挿したボックス本体に蓋体をかぶせるときに溝外れを生ずることがなく、しかも、ボックスからのガラス基板の取り出し操作をアンパッカーを用いて自動的に行うことができるガラス基板搬送用ボックスを提供することを目的とする。【解決手段】相対向する内壁に溝（ｇ）が形成された構造を有するポリオレフィン系製のボックス本体（１）と、ガラス基板（Ｇ）のボックス本体（１）からの突出部分を保護する溝（ｇ）付きのサポート部材（３）と、ポリオレフィン系発泡体製の蓋体（２）と、これらのサポート部材（３）および蓋体（２）に相対応するように設けた雌雄の面ファスナ（４），（４）とからなるガラス基板搬送用ボックスである。【選択図】図１
2010137921.tif 000002
【特許請求の範囲】
【請求項１】
ポリオレフィン系発泡体製のボックス本体（１）であって、その相対向する内壁に直接に、あるいはその相対向する内壁に挿入する内挿部材（１ａ）に、ガラス基板支持用の溝（ｇ）が形成された構造を有するボックス本体（１）と、
前記ボックス本体（１）の相対向する溝（ｇ），（ｇ）間に縦挿したガラス基板（Ｇ）のボックス本体（１）からの突出部分を保護するサポート部材（３）であって、水平板（３ａ）からなるかあるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられたサポート部材（３）と、
前記ボックス本体（１）に縦挿したガラス基板（Ｇ）のボックス本体（１）からの突出部分にサポート部材（３）を装着した状態で、そのサポート部材（３）を内包するように、前記ボックス本体（１）の上部の開口部側に係合するためのポリオレフィン系発泡体製のボックス状の蓋体（２）と、
前記サポート部材（３）の水平板（３ａ）の上面側および前記蓋体（２）の天面（２ａ）の内面側に、相対応するように設けた雌雄の面ファスナ（４），（４）
とから構成されてなることを特徴とするガラス基板搬送用ボックス。
【請求項２】
前記サポート部材（３）もポリオレフィン系発泡体でできている請求項１記載のガラス基板搬送用ボックス。
【発明の詳細な説明】
【技術分野】
【０００１】
本発明は、ガラス基板（素板ガラス、液晶表示用ガラス基板、プラズマ表示体用ガラス基板、蛍光表示管、サーマルヘッド用ガラス基板、カラーフィルター等）、あるいはそれらのガラス基板を用いて製造した完成パネルなどのガラス基板を搬送するためのガラス基板搬送用ボックスに関するものである。
【背景技術】
【０００２】
（射出成形体でできたガラス基板搬送用ボックスとその問題点）
ガラスメーカー、カラーフィルターメーカー、デバイスメーカーの相互間におけるガラス基板（完成パネルを含む）の搬送のために、ＡＢＳ樹脂、ポリ塩化ビニルをはじめとする種々の樹脂の射出成形体やその組立品からなるガラス基板搬送用ボックスが使用されている。ＴＦＴ（薄膜トランジスタ）形成済みのガラス基板や液晶セルの完成パネルのように回路を組み込んであるガラス基板の搬送用の場合には、導電性ポリマーや帯電防止性物質を含有させた樹脂射出成形体や組立品が使用される。これらのガラス基板搬送用ボックスは、典型的には有底のボックス本体と蓋体とからなり、ボックス本体の相対向する１対の側板には、基板を縦姿勢でかつ互いに接触しないように平行保持するために溝を形成してある。ガラス基板搬送用ボックスには、一般に１０〜３０枚程度あるいはそれ以上の枚数のガラス基板が収容される。
【０００３】
上に述べた樹脂射出成形体やその組立品からなる従来の基板搬送用ボックスは、基板を密閉状態で搬送することができるものであるが、ボックス自身の重量だけでたとえば５〜６ｋｇもあるため、移動・積み重ね・輸送に際し取り扱いにくいという不利がある。またクッション性を有しないため、衝撃や振動が加わったときにショックを吸収する能力がほとんどなく、その結果、収容してあるガラス基板が損傷しやすいという問題点がある。輸送時にはクッション材を入れて梱包するなどの対策を講じることもできるが、適用できる場が限られる。また樹脂射出成形体でできたボックスは、熱伝導率がたとえば０．２６Ｋｃａｌ／ｍ・ｈｒ・℃程度と大きいので、断熱性不良により収容基板が高温となったり、基板に結露を生じたりしやすく、その結果、ガラス基板に水滴痕である「しみ」がついたり、回路が破壊したりするなど、基板の信頼性を損なうおそれもある。そのほか、ボックスの本体と蓋体とを合わせた射出成形金型のコストが高いこと、ボックス１個当りの樹脂使用量がたとえば５〜６ｋｇにもなるので、樹脂コストの点でも負担が大きいことなどの不利もある。
【０００４】
（樹脂発泡体製のガラス基板搬送用ボックス）
射出成形体でできたガラス基板搬送用ボックスの上記のような問題点を克服するため、本出願人は下記の（イ）、（ロ）のような樹脂発泡体製のガラス基板搬送用ボックスを開発しており、この業界で好評を得ている。
【０００５】
（イ）特開平７−１３２９８６号公報（特許文献１）
ボックスの少なくとも本体部が発泡倍率３〜３０倍の樹脂発泡体で構成され、かつ本体部内面の相対向する１対の面がガラス基板支持用の溝に形成されているガラス基板搬送用ボックス。
【０００６】
（ロ）特開平７−２５７６８１号公報（特許文献２）
発泡倍率３〜３０倍の発泡体でできたボックスの内部に、基板支持用の溝を有する板状または箱状の溝付き内挿部材を配置してなる基板搬送用ボックス。
【先行技術文献】
【特許文献】
【０００７】
【特許文献１】特開平７−１３２９８６号公報
【特許文献２】特開平７−２５７６８１号公報
【発明の概要】
【発明が解決しようとする課題】
【０００８】
上記（イ）、（ロ）のガラス基板搬送用ボックスを実際に使うときには、ボックス本体に直接または内挿部材を介して設けた相対向する溝間にガラス基板を収容したときに、ボックス本体の開口部よりも上方にガラス基板がはみ出すようにする方が、ガラス基板を手で出し入れする操作がしやすくなる。
【０００９】
そのときには、そのはみ出したガラス基板の上から、天面の内面側に溝を設けたボックス状の蓋体をかぶせることがなされるが、ガラス基板と溝との間には若干の遊びがあるので、蓋体をかぶせるときに、所定枚数縦挿されて整列している全てのガラス基板の上辺が蓋体の溝にぴったりと合致しないことがあり、無理やり蓋体を押し込むと、ガラス基板の上辺が蓋体の溝の山の部分に食い込む溝外れを生じたり、同じ溝にガラス基板２枚が入り込んでしまったりするトラブルを起こすことがある。
【００１０】
本発明者らの検討によれば、このようなトラブルは、はみ出したガラス基板の上から、水平板の下面に溝を設けた保護板あるいは水平板の１辺から垂直板が垂下した溝付き逆さＬ字板からなる２枚の保護板からなるサポート部材をはめ込み、ついでそのサポート部材を内包するように蓋体をかぶせることにより解消することができる。
【００１１】
しかしながら、そのような対策を講じると、アンパックに際して、まずボックス本体から蓋体を取り外し、ついでサポート部材を取り外すという２度の操作が必要となるので、アンパッカーを用いての自動アンパック操作が難しくなるという新たな課題を生ずる。
【００１２】
本発明は、このような背景下において、ポリオレフィン系発泡体を用いたことによる好ましい特徴を有していることはもとより、ガラス基板のボックス本体からの突出部分が保護される上、ガラス基板を縦挿したボックス本体に蓋体をかぶせるときに溝外れを生ずることがなく、しかも、ボックスからのガラス基板の取り出し操作をアンパッカーを用いて自動的に行うことができるガラス基板搬送用ボックスを提供することを目的とするものである。
【課題を解決するための手段】
【００１３】
本発明のガラス基板搬送用ボックスは、ポリオレフィン系発泡体製のボックス本体（１）であって、その相対向する内壁に直接に、あるいはその相対向する内壁に挿入する内挿部材（１ａ）に、ガラス基板支持用の溝（ｇ）が形成された構造を有するボックス本体（１）と、前記ボックス本体（１）の相対向する溝（ｇ），（ｇ）間に縦挿したガラス基板（Ｇ）のボックス本体（１）からの突出部分を保護するサポート部材（３）であって、水平板（３ａ）からなるかあるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられたサポート部材（３）と、前記ボックス本体（１）に縦挿したガラス基板（Ｇ）のボックス本体（１）からの突出部分にサポート部材（３）を装着した状態で、そのサポート部材（３）を内包するように、前記ボックス本体（１）の上部の開口部側に係合するためのポリオレフィン系発泡体製のボックス状の蓋体（２）と、前記サポート部材（３）の水平板（３ａ）の上面側および前記蓋体（２）の天面（２ａ）の内面側に、相対応するように設けた雌雄の面ファスナ（４），（４）とから構成されてなることを特徴とするものである。
【発明の効果】
【００１４】
本発明のガラス基板搬送用ボックスは、ポリオレフィン系発泡体を用いたことによる作用の項で述べたような全ての好ましい特徴を有していることはもとより、サポート部材（３）によりガラス基板（Ｇ）のボックス本体（１）からの突出部分が保護されている。そして、サポート部材（３）を介在させる手段を講じてあるので、ガラス基板（Ｇ）を縦挿したボックス本体（１）に蓋体（２）をかぶせるときに溝外れを生ずることがない。しかも、サポート部材（３）と蓋体（２）との間を雌雄の面ファスナ（４），（４）で着脱できるようにしてあるので、ボックスからのガラス基板（Ｇ）の取り出し操作をアンパッカーを用いて自動的に行うことができる。
【図面の簡単な説明】
【００１５】
【図１】本発明のガラス基板搬送用ボックスの一例を示した斜視図である。
【図２】本発明のガラス基板搬送用ボックスの他の一例を示した斜視図である。
【図３】本発明のガラス基板搬送用ボックスのさらに他の一例を示した縦断面図である。
【発明を実施するための形態】
【００１６】
以下本発明を詳細に説明する。
（構成部材）
本発明のガラス基板搬送用ボックスは、ボックス本体（１）と、サポート部材（３）と、ボックス状の蓋体（２）と、雌雄の面ファスナ（４），（４）とで構成される。
【００１７】
（ボックス本体（１））
ボックス本体（１）は、ポリエチレン系（低密度ポリエチレン、高密度ポリエチレン、エチレン−プロピレン共重合体、エチレン−酢酸ビニル共重合体、アイオノマーなど、あるいはこれらのブレンド物）発泡体、ポリプロピレン系発泡体などのポリオレフィン系発泡体で作られ、強度の大きいポリプロピレン系発泡体が特に好適である。ポリオレフィン系発泡体の発泡倍率は３〜３０倍、好ましくは４〜２５倍、さらに好ましくは５〜２０倍、なかんずく７〜１８倍の範囲に設定される。発泡倍率が余りに小さいときはガラス基板の保護性（クッション性）などが充分には達成しえず、一方発泡倍率が余りに大きいときは強度が不足し、弾力性も過多となる。ボックス本体（１）の厚みは、強度、耐加重性、硬さと弾力性とのバランスなどを考慮して、１５〜１００ｍｍ程度、殊に２０〜８０ｍｍ程度に設定するのが適当である。
【００１８】
ポリオレフィン系発泡体は、ビーズ法により製造することが特に望ましい。ビーズ法とは、発泡剤を含むポリオレフィン系ビーズまたはその一次発泡体を金型内充填し、所定の温度に加熱する方法である。発泡剤としては揮発性発泡剤、化学分解型発泡剤などが用いられ、２種以上の発泡剤を組み合わせて用いることもできる。ビーズ発泡法は低圧発泡法であるので、金型としてはアルミニウム型のような低コストの金型を用いることができる。
【００１９】
この発泡体の表面は、内部よりも緻密なスキン構造に形成されていることが望ましい。このときのスキン構造の表面から１ｍｍ深さまでの部分の密度は、内部の密度よりも１．５倍以上、ことに２倍以上大きくすることが好ましい。たとえば発泡成形に際し、後加熱を行えば、金型内面に接触している表面のみを緻密なスキン構造に形成することができる。表面のみを緻密なスキン構造にすることは、発塵防止および強度向上の点でも有利となる。
【００２０】
ボックス本体（１）は、通常は有底のボックスで構成されるが、無底の本体部に底体を嵌め込み等により係合したものであってもよい。ボックス本体（１）の内底には、クッション材を設けておくこともできる。ボックス本体（１）の底部は、台脚状に形成することもできる。
【００２１】
ボックス本体（１）には、その相対向する内壁に直接にガラス基板支持用の溝（ｇ）を形成するが、その形成は、金型を工夫することにより、本体の成形と同時に行うことができる。
【００２２】
あるいはまた、ガラス基板支持用の溝（ｇ）が形成された内挿部材（１ａ）を準備し、その内挿部材（１ａ）をボックス本体（１）の相対向する内壁に挿入する方法も採用しうる。このときの内挿部材（１ａ）の形状は、２枚の分離した板状体や、コの字形または箱のような板状体とすることができる。内挿部材（１ａ）の例は次の如くであり、特に（イ）、ついで（ロ）が重要である。
【００２３】
（イ）発泡体（殊に発泡倍率３〜３０倍の発泡体）でできた板状、コの字形または箱状の発泡成形体。このときの発泡体は、ボックス本体（１）の場合と同様の発泡体、殊にポリオレフィン系発泡体、すなわちポリプロピレン系発泡体またはポリエチレン系発泡体であることが好ましい。発泡成形法としては、ビーズ法、押出発泡法などが採用される。
【００２４】
（ロ）樹脂シートを圧空成形して得た板状、コの字形または箱状の圧空成形体。圧空成形とは、樹脂シートを金型にセットし、加熱下に真空吸引して所定の形状に成形する方法である。樹脂シートとしては、圧空成形可能な種々の樹脂が用いられる。
【００２５】
（ハ）樹脂を溶融成形して得た板状、コの字形または箱状の溶融成形体。溶融成形法としては、押出成形法や射出成形法が採用される。溶融成形に供する樹脂としては、溶融成形可能な種々の樹脂が用いられる。
【００２６】
（ニ）樹脂板などの板体を機械加工（切削加工等）して得た板状、コの字形または箱状の機械加工品である。
【００２７】
上記いずれの場合も、内挿部材（１ａ）が２枚の分離した板状体であるときには、ボックス本体（１）の相対向する少なくとも１対の面の内面側に内挿部材（１ａ），（１ａ）を挿し込み配置する。
【００２８】
相対向する１対の面とは、ボックス本体（１）が平面視で長方形であるときは、短辺側の１対の面でも長辺側の１対の面でもよい。場合によっては、異なる２種の寸法の基板の収容に対処するように、短辺側の１対の面および長辺側の１対の面の双方に板状の溝付き内挿部材（１ａ），（１ａ）を配置することもできる。なお、ボックス本体（１）の相対向する１対の面の内面側に係合用の凸条を形成し、内挿部材（１ａ），（１ａ）の裏面側に上記凸条に嵌合する条溝を形成すると、ボックス本体（１）に対する内挿部材（１ａ），（１ａ）の取り付けおよび取り外しをより円滑に行うことができる。
【００２９】
内挿部材（１ａ）がコの字形または箱のときには、内挿部材（１ａ）をそのままボックス本体（１）  内に嵌め込めばよい。
【００３０】
ボックス本体（１）に直接設ける溝（ｇ）または内挿部材（１ａ）に設ける溝（ｇ）は、ガラス基板（Ｇ）のエッジ部を挿入できる深さおよび巾とし、かつガラス基板（Ｇ）を挿入した状態で若干の余裕があるように設定する。溝数は任意に設定できるが、１面当り１０〜３０条程度あるいはそれ以上の溝数とすることが多い。溝構造の山部の形状については、ガラス基板（Ｇ）との接触を小さくするため、アールやテーパーを付すことが好ましい。
【００３１】
ＴＦＴ（薄膜トランジスタ）形成済みのガラス基板や液晶セルの完成パネルを収容する目的のときは、ボックス本体（１）または内挿部材（１ａ）の少なくともボックス内部側の表面の体積固有抵抗値は、１０３〜１０１２Ω・ｃｍ、殊に１０４〜１０１１Ω・ｃｍの範囲内に設定されていることが望ましい。このような体積固有抵抗値を有するようにするには、ボックス本体（１）や内挿部材（１ａ）（あるいは後述の蓋体（２）やサポート部材（３）も）に関して、その製造用の原料樹脂として本来導電性を有する樹脂を用いる方法、原料樹脂に帯電防止性物質（導電性ポリマーや界面活性剤を含む）を数％〜数１０％含有させる方法、導電性フィルムを金型に設置して成形と同時にその導電性フィルムを成形体の表面に一体化する方法などが採用される。
【００３２】
（サポート部材（３））
サポート部材（３）は、上記ボックス本体（１）の相対向する溝（ｇ），（ｇ）間に縦挿したガラス基板（Ｇ）のボックス本体（１）からの突出部分を保護するものであり、がたつき防止、取り扱い時の危険防止の役割を果たす。
【００３３】
このサポート部材（３）は、水平板（３ａ）からなるか、あるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられた構造を有する。逆さＬ字板の水平板（３ａ）を用いるときは、その２枚をガラス基板（Ｇ）の左上側と右上側を保護するようにする。場合により、左右の逆Ｌ字板を一体化したコの字形（が反時計回り方向に９０°回転した形）にしてもよい。
【００３４】
サポート部材（３）の材質は、先に述べた内挿部材（１ａ）と同様に、発泡体、圧空成形体、溶融成形体（高分子量ポリエチレンのような軟質で耐摩耗性のある樹脂、フッ素系樹脂、エラストマー等でできていることが好ましい）、機械加工品などとすることができる。これらの中では、発泡倍率が３〜７０倍程度（殊に５〜６０倍程度）で、水平板（３ａ）の厚みが１０〜１００ｍｍ程度（殊に１５〜８０ｍｍ程度）のポリエチレン系発泡体やポリプロピレン系発泡体などのポリオレフィン系発泡体が特に好適である。なお、ポリエチレン系発泡体とポリプロピレン系発泡体とを対比すると、サポート部材（３）としては、クッション性の点でポリエチレン系発泡体の方がより好ましい。
【００３５】
（蓋体（２））
蓋体（２）は、ボックス状の形状を有し、上記ボックス本体（１）に縦挿したガラス基板（Ｇ）のボックス本体（１）からの突出部分にサポート部材（３）を装着した状態で、そのサポート部材（３）を内包するように、上記ボックス本体（１）の上部の開口部側に係合するためのものである。
【００３６】
蓋体（２）は、ボックス本体（１）と同様にポリオレフィン系発泡体で構成され、その発泡倍率もボックス本体（１）の場合と同様である。なお、蓋体（２）はボックス本体（１）ほどの強度は要求されないので、ポリプロピレン系発泡体の方が好ましいものの、ポリエチレン系発泡体もそれに準じて有用であり、また蓋体（２）の厚みも、１５〜１００ｍｍ程度、殊に１５〜７０ｍｍ程度、２０〜６０ｍｍ程度というように、ボックス本体（１）よりも薄目に設定してもよい。
【００３７】
（面ファスナ（４），（４））
そして、本発明においては、上記サポート部材（３）の水平板（３ａ）の上面側および上記蓋体（２）の天面（２ａ）の内面側に、雌雄の面ファスナ（４），（４）を相対応するように設ける。どちらの面に雌または雄の面ファスナ（４）を設けるかは自由であり、片方の面に雌および雄の面ファスナ（４）の双方を設け、他方の面にそれに対応するように雄および雌雄の面ファスナ（４）の双方を設けることもできる。
【００３８】
面ファスナ（４），（４）は、ボックス本体（１）から蓋体（２）を取り外すときにサポート部材（３）が蓋体（２）と一緒に持ち上がればよいので、サポート部材（３）の水平板（３ａ）の上面、上記蓋体（２）の天面（２ａ）の内面に、１ないし数個の小片として設ければ足りる。面ファスナ（４），（４）の面積を必要以上に大きくすることは、雌雄を剥がすときに過度の力を要したり、面ファスナ自体が設置面から剥離したり、コスト高になったりするので、避けるべきである。
【００３９】
サポート部材（３）の水平板（３ａ）の上面、上記蓋体（２）の天面（２ａ）の内面に対する小片状の面ファスナ（４）の設置方法としては、任意の方法を採用することができる。たとえば、接着剤を用いて接着する方法、両面接着テープを用いて接着（粘着）する方法、蓋体（２）およびサポート部材（３）が共にポリプロピレン系発泡体でできている場合、市販の面ファスナ（４）をポリプロピレンシ−トに縫製等の手段で取り付けることによりラベル状の小片としてから、その小片の周囲の部分をホットメルト接着剤で接着する方法などが採用される。
【００４０】
（包装）
遠方への輸送（たとえば輸出）に際しては、ガラス基板（Ｇ）を収容した本発明のガラス基板搬送用ボックス全体を、ポリオレフィンフィルムやアルミニウムラミネートフィルムなどの防湿性を有する包材で包装したり、全体をテープ掛けしたりすることができる。包装に際しては、このボックスの内部にシリカゲル等の吸湿剤を入れておくこともできる。
【００４１】
（作用）
本発明の基板搬送用ボックスを使用するにあたっては、ボックス本体（１）にそこに形成した溝（ｇ）を利用してガラス基板（Ｇ）が縦挿されるようにしておいてから、そのガラス基板（Ｇ）のボックス本体（１）からの突出部分をサポート部材（３）で保護し、ついでそのサポート部材（３）を内包するように、ボックス本体（１）の上部の開口部側に蓋体（２）を係合すればよい。ガラス基板（Ｇ）の出入は、ボックスを縦姿勢にした状態で行ってもよく、横姿勢にした状態で行ってもよい。搬送や保管はボックスを縦姿勢で行うのが通常である。
【００４２】
アンパックに際し、蓋体（２）を開けると、サポート部材（３）の水平板（３ａ）の上面側および蓋体（２）の天面（２ａ）の内面側には、相対応するように雌雄の面ファスナ（４），（４）を設けてあるため、サポート部材（３）も蓋体（２）と一緒に持ち上げられ、ボックス本体（１）からガラス基板（Ｇ）の突出部が露出するので、ガラス基板（Ｇ）を容易に取り出すことができる。アンパックは、アンパッカーによりまたは手により行うことができる。
【００４３】
雌雄の面ファスナ（４），（４）により蓋体（２）にくっついているサポート部材（３）は、手で取り外し、次回のパック作業に供することになる。
【００４４】
そのほか、本発明の基板搬送用ボックスは、主要部材がポリオレフィン系発泡体でできているので、
・そのすぐれたクッション性により衝撃・振動などが加わったときであってもガラス基板（Ｇ）  の損傷が有効に防止されること、
・強度が大きく、引き裂きや摩擦に対しても大きな抵抗性を有し、発塵もなく、水洗等の洗浄も可能であること、
・ガラス基板（Ｇ）の支持が確実になされること、
・すぐれた断熱性を有するため（たとえば１５倍発泡のポリオレフィン系発泡体の場合で熱伝導率は０．０３６〜０．０３８Ｋｃａｌ／ｍ・ｈｒ・℃程度となる）、収容ガラス基板（完成パネルを含む）（Ｇ）が高温となったり、ガラス基板（Ｇ）に結露を生じたりすることがなく、水滴痕の発生や回路の破壊など基板の信頼性を損なうおそれもないこと、
・ボックス１個当りの樹脂使用量が著減するので、樹脂消費量の点でも製造コスト上有利となること、
・発泡体の成形はアルミニウム金型などの安価な金型を用いて低圧で行うことができるので、金型コストの点でも有利となること、
・少なくとも表面の体積固有抵抗値が１０３〜１０１２Ω・ｃｍのものを用いたときは、ガラス基板（Ｇ）の出入や搬送中における帯電が有効に防止されると共に、たとえ帯電しても体積固有抵抗値が上記範囲内にあるので減衰時間が０．５〜１秒というように一定時間保たれるため、減衰が適度の範囲でゆっくりと行われ、回路障害を起こすおそれがないこと、などの作用効果が奏される。
【００４５】
次に実施例をあげて本発明をさらに説明する。
【実施例１】
【００４６】
図１は、本発明のガラス基板搬送用ボックスの一例を示した斜視図である。
発泡性ポリプロピレン粒子を一旦予備発泡させた後、放置して内包ガスを空気に置換した。これをアルミニウム製の金型に充填して４ｋｇ／ｃｍ２の水蒸気を一気に吹き込むことにより発泡成形し、ついで温度６０℃で後加熱を行って、図１，２に示してあるような有底のボックス本体（１）を得た。金型を工夫することにより、ボックス本体（１）の相対向する１対の面の内面側には、ガラス基板支持用の溝（ｇ）が縦方向に形成されるようにした。この発泡体は実質的に独立気泡を有し、発泡体全体の発泡倍率は１２倍であったが、内外の表面から１ｍｍ深さまでの発泡倍率は４〜５倍であり、両表面にはスキン層が形成されていた。
【００４７】
同様にして、発泡性ポリプロピレン粒子を発泡成形することにより、図１，２に示してあるようなボックス状の蓋体（２）も発泡成形した。この発泡体は実質的に独立気泡を有し、発泡体全体の発泡倍率は１２倍であったが、内外の表面から１ｍｍ深さまでの発泡倍率は４〜５倍であり、両表面にはスキン層が形成されていた。
【００４８】
このようにして得たボックス本体（１）の厚みは５０ｍｍ、蓋体（２）の厚みは３５ｍｍであり、閉蓋状態のボックスの寸法は、巾が１４０５ｍｍ、奥行きが７２０ｍｍ、高さが１２１０ｍｍであった。
【００４９】
さらに、上記ボックス本体（１）および蓋体（２）の成形法に準じて発泡性ポリエチレン粒子を発泡成形することにより、図１，２に示してあるように、水平板（３ａ）の１辺から垂直板（３ｂ）が垂下した逆さＬ字板状の２枚のサポート部材（３），（３）を得た。金型を工夫することにより、水平板（３ａ）の下面側および垂直板（３ｂ）の内面側にはガラス基板支持用の溝（ｇ）が形成されるようにした。この発泡体も実質的に独立気泡を有し、発泡体全体の発泡倍率は３０倍であったが、内外の表面から１ｍｍ深さまでの発泡倍率は４〜５倍であり、両表面にはスキン層が形成されていた。なお、逆さＬ字板の水平板（３ａ）および垂直板（３ｂ）の厚みは、共に２６ｍｍに設定した。
【００５０】
次に、上記サポート部材（３）の水平板（３ａ）の上面側および上記蓋体（２）の天面（２ａ）の内面側に、図１，２に示したように、雌雄の面ファスナ（４），（４）を相対応するように取り付けた。
【００５１】
雌雄の面ファスナ（４），（４）としては、市販の面ファスナを用い、サポート部材（３）の水平板（３ａ）の上面側および上記蓋体（２）の天面（２ａ）の内面側へのそれらの面ファスナの取り付けは、両面接着テープを用いて行った。
【００５２】
本発明の基板搬送用ボックスの使用の仕方は、作用の項で述べた通りであり、パックおよびアンパック操作を極めて円滑に行うことができた。
【実施例２】
【００５３】
２０重量％のカーボンブラックを含む導電性グレードの発泡性ポリプロピレン（帯電防止グレードの界面活性剤を内添した発泡性ポリプロピレンでもよい）を用いたほかは実施例１と同様にして、発泡体でできたボックス本体（１）、蓋体（２）およびサポート部材（３）を製造した。これらの発泡体の両表面の体積抵抗値（ＡＳＴＭ  Ｄ２５７準拠）はいずれも１０４〜１０１１Ω・ｃｍの範囲内にあった。雌雄の面ファスナ（４），（４）の取り付けも、実施例１と同様にして行った。この実施例２の基板搬送用ボックスは、ＴＦＴ形成済みガラス基板や液晶セルの完成パネルを収容し、搬送や保管に供する目的に好適であり、パックおよびアンパック操作は極めて円滑に行うことができた。
【実施例３】
【００５４】
図２は、本発明のガラス基板搬送用ボックスの他の一例を示した斜視図である。
サポート部材（３）として、実施例１で述べた逆さＬ字板状に代えて、その下面側にガラス基板支持用の溝（ｇ）を形成した発泡倍率３０倍、厚み２６ｍｍの水平板（３ａ）からなるポリエチレン系発泡体（両表面には先に述べた逆さＬ字板の場合と同様にスキン層が形成）を用いたほかは、実施例１と同様にして、ガラス基板搬送用ボックスを製造した。
【実施例４】
【００５５】
図３は、本発明のガラス基板搬送用ボックスのさらに他の一例を示した縦断面図である。
【００５６】
この実施例にあっては、ポリオレフィン系発泡体製のボックス本体（１）には溝（ｇ）を形成せず、代わりに、ガラス基板支持用の溝（ｇ）が形成された２枚の内挿部材（１ａ）を、ボックス本体（１）の相対向する内壁に挿入するようにしてある。また、ボックス本体（１）の底部は台脚状に形成してある。他の構成は、実施例１と同様である。（なお、内挿部材（１ａ）として、ＡＢＳ樹脂シート等の樹脂シートを金型にセットし、加熱下に真空吸引して一挙に箱状に形成した圧空成形体であって、その相対向する１対の面が基板支持用の溝（ｇ）となるように波形に形成したものを用いてもよい。）
【符号の説明】
【００５７】
（１）  ボックス本体、（１ａ）  内挿部材、（２）  蓋体、（２ａ）  天面、（３）  サポート部材、（３ａ）  水平板、（３ｂ）  垂直板、（４）  面ファスナ、（ｇ）  ガラス基板支持用の溝、（Ｇ）  ガラス基板。
【図１】
2010137921.tif 000003
【図２】
2010137921.tif 000004
【図３】
2010137921.tif 000005
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
ガラス基板のパックおよびアンパック方法であって、
ボックス状の形態を有し、その相対向する内壁に直接に、あるいはその相対向する内壁に挿入する内挿部材（１ａ）に、ガラス基板支持用の溝（ｇ）が形成された構造を有するポリプロピレン発泡体製のボックス本体（１）の内部に、前記溝（ｇ），（ｇ）間に沿ってガラス基板（Ｇ）を縦挿するステップと、
水平板（３ａ）からなるかあるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられ、上面側に一方の雌雄の面ファスナ（４），（４）が設けられたポリエチレン発泡体製のサポート部材（３）を、前記ボックス本体（１）からの前記ガラス基板（Ｇ）の突出部分に装着するステップと、
天面（２ａ）の内面側に他方の雌雄の面ファスナ（４），（４）を有するポリプロピレン発泡体製のボックス状の蓋体（２）を、前記ボックス本体（１）に縦挿した前記ガラス基板（Ｇ）の前記ボックス本体（１）からの突出部分に前記サポート部材（３）を装着した状態で前記サポート部材（３）を内包し、前記サポート部材（３）の上面側に設けられた前記一方の雌雄の面ファスナ（４），（４）と、前記天面（２ａ）の内面側に設けられた前記他方の雌雄の面ファスナ（４），（４）とが係合するように、前記ボックス本体（１）の上部の開口部側に被せるステップと、
前記ボックス本体（１）に対して前記蓋体（２）を開けることで、前記ボックス本体（１）の天面（２ａ）に前記サポート部材（３）が係合した状態で、前記蓋体（２）とともに前記サポート部材（３）が持ち上げられるステップと、
前記ガラス基板（Ｇ）の前記ボックス本体（１）からの突出部分を用いて、前記ガラス基板（Ｇ）を前記ボックス本体（１）から取り出すステップと、
を備える、ガラス基板のパックおよびアンパック方法。
【請求項２】
前記ボックス本体（１）の内部に形成された前記溝（ｇ）、または、前記内挿部材（１ａ）に形成された前記溝（ｇ）、および、前記サポート部材（３）の形成された前記溝（ｇ）は、表面から１ｍｍ深さまでの発泡倍率が４〜５倍のスキン層を有する、請求項１に記載のガラス基板のパックおよびアンパック方法。
【請求項３】
ポリプロピレン発泡体製のボックス本体（１）であって、その相対向する内壁に直接に、あるいはその相対向する内壁に挿入する内挿部材（１ａ）に、ガラス基板支持用の溝（ｇ）が形成された構造を有するボックス本体（１）と、
前記ボックス本体（１）の相対向する溝（ｇ），（ｇ）間に縦挿したガラス基板（Ｇ）のボックス本体（１）からの突出部分を保護するポリエチレン発泡体製のサポート部材（３）であって、水平板（３ａ）からなるかあるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられたサポート部材（３）と、
前記ボックス本体（１）に縦挿した前記ガラス基板（Ｇ）の前記ボックス本体（１）からの突出部分に前記サポート部材（３）を装着した状態で、前記サポート部材（３）を内包するように、前記ボックス本体（１）の上部の開口部側に係合するためのポリプロピレン発泡体製のボックス状の蓋体（２）と、
前記サポート部材（３）の水平板（３ａ）の上面側および前記蓋体（２）の天面（２ａ）の内面側に、相対応するように設けた雌雄の面ファスナ（４），（４）
とから構成されてなることを特徴とするガラス基板搬送用ボックス。
【請求項４】
前記ボックス本体（１）の内部に形成された前記溝（ｇ），（ｇ）、または、前記内挿部材（１ａ）に形成された前記溝（ｇ）、および、前記サポート部材（３）の形成された前記溝は、表面から１ｍｍ深さまでの発泡倍率が４〜５倍のスキン層を有する、請求項３に記載のガラス基板搬送用ボックス。
【請求項５】
前記雌雄の面ファスナ（４），（４）は、前記サポート部材（３）の前記水平板（３ａ）の上面側および前記蓋体（２）の前記天面（２ａ）の内面側に、前記面ファスナ（４），（４）をポリプロピレンシートに縫製手段で取付け、前記ポリプロピレンシートがホットメルト接着剤で取付けられている、請求項３または４のいずれかに記載のガラス基板搬送用ボックス。
【手続補正３】
【補正対象書類名】明細書
【補正対象項目名】０００１
【補正方法】変更
【補正の内容】
【０００１】
本発明は、ガラス基板（素板ガラス、液晶表示用ガラス基板、プラズマ表示体用ガラス基板、蛍光表示管、サーマルヘッド用ガラス基板、カラーフィルター等）を搬送するためのガラス基板のパックおよびアンパック方法、ならびにガラス基板搬送用ボックスに関するものである。
【手続補正４】
【補正対象書類名】明細書
【補正対象項目名】００１３
【補正方法】変更
【補正の内容】
【００１３】
本発明のガラス基板のパックおよびアンパック方法は、ガラス基板のパックおよびアンパック方法であって、以下のステップを備える。
ボックス状の形態を有し、その相対向する内壁に直接に、あるいはその相対向する内壁に挿入する内挿部材（１ａ）に、ガラス基板支持用の溝（ｇ）が形成された構造を有するポリプロピレン発泡体製のボックス本体（１）の内部に、前記溝（ｇ），（ｇ）間に沿ってガラス基板（Ｇ）を縦挿するステップと、水平板（３ａ）からなるかあるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられ、上面側に一方の雌雄の面ファスナ（４），（４）が設けられたポリエチレン発泡体製のサポート部材（３）を、前記ボックス本体（１）からの前記ガラス基板（Ｇ）の突出部分に装着するステップと、天面（２ａ）の内面側に他方の雌雄の面ファスナ（４），（４）を有するポリプロピレン発泡体製のボックス状の蓋体（２）を、前記ボックス本体（１）に縦挿した前記ガラス基板（Ｇ）の前記ボックス本体（１）からの突出部分に前記サポート部材（３）を装着した状態で前記サポート部材（３）を内包し、前記サポート部材（３）の上面側に設けられた前記一方の雌雄の面ファスナ（４），（４）と、前記天面（２ａ）の内面側に設けられた前記他方の雌雄の面ファスナ（４），（４）とが係合するように、前記ボックス本体（１）の上部の開口部側に被せるステップと、前記ボックス本体（１）に対して前記蓋体（２）を開けることで、前記ボックス本体（１）の天面（２ａ）に前記サポート部材（３）が係合した状態で、前記蓋体（２）とともに前記サポート部材（３）が持ち上げられるステップと、前記ガラス基板（Ｇ）の前記ボックス本体（１）からの突出部分を用いて、前記ガラス基板（Ｇ）を前記ボックス本体（１）から取り出すステップと、を備える。
本発明のガラス基板搬送用ボックスは、ポリプロピレン発泡体製のボックス本体（１）であって、その相対向する内壁に直接に、あるいはその相対向する内壁に挿入する内挿部材（１ａ）に、ガラス基板支持用の溝（ｇ）が形成された構造を有するボックス本体（１）と、前記ボックス本体（１）の相対向する溝（ｇ），（ｇ）間に縦挿したガラス基板（Ｇ）のボックス本体（１）からの突出部分を保護するポリエチレン発泡体製のサポート部材（３）であって、水平板（３ａ）からなるかあるいは水平板（３ａ）の１辺から垂直板（３ｂ）が垂下した逆さＬ字板からなり、その水平板（３ａ）の下面側、あるいは逆さＬ字板の水平板（３ａ）の下面側および垂直板（３ｂ）の内面側のうち少なくとも水平板（３ａ）の下面側に、ガラス基板支持用の溝（ｇ）が設けられたサポート部材（３）と、前記ボックス本体（１）に縦挿したガラス基板（Ｇ）のボックス本体（１）からの突出部分にサポート部材（３）を装着した状態で、そのサポート部材（３）を内包するように、前記ボックス本体（１）の上部の開口部側に係合するためのポリプロピレン発泡体製のボックス状の蓋体（２）と、前記サポート部材（３）の水平板（３ａ）の上面側および前記蓋体（２）の天面（２ａ）の内面側に、相対応するように設けた雌雄の面ファスナ（４），（４）とから構成されてなることを特徴とするものである。
【手続補正５】
【補正対象書類名】明細書
【補正対象項目名】００１４
【補正方法】変更
【補正の内容】
【００１４】
本発明のガラス基板のパックおよびアンパック方法、ならびにガラス基板搬送用ボックスは、ポリプロピレン発泡体を用いたことによる作用の項で述べたような全ての好ましい特徴を有していることはもとより、ポリエチレン発泡体製のサポート部材（３）によりガラス基板（Ｇ）のボックス本体（１）からの突出部分が保護されている。そして、サポート部材（３）を介在させる手段を講じてあるので、ガラス基板（Ｇ）を縦挿したボックス本体（１）に蓋体（２）をかぶせるときに溝外れを生ずることがない。しかも、サポート部材（３）と蓋体（２）との間を雌雄の面ファスナ（４），（４）で着脱できるようにしてあるので、ボックスからのガラス基板（Ｇ）の取り出し操作をアンパッカーを用いて自動的に行うことができる。
【手続補正６】
【補正対象書類名】明細書
【補正対象項目名】００３１
【補正方法】変更
【補正の内容】
【００３１】
ＴＦＴ（薄膜トランジスタ）形成済みのガラス基板を収容する目的のときは、ボックス本体（１）または内挿部材（１ａ）の少なくともボックス内部側の表面の体積固有抵抗値は、１０３〜１０１２Ω・ｃｍ、殊に１０４〜１０１１Ω・ｃｍの範囲内に設定されていることが望ましい。このような体積固有抵抗値を有するようにするには、ボックス本体（１）や内挿部材（１ａ）（あるいは後述の蓋体（２）やサポート部材（３）も）に関して、その製造用の原料樹脂として本来導電性を有する樹脂を用いる方法、原料樹脂に帯電防止性物質（導電性ポリマーや界面活性剤を含む）を数％〜数１０％含有させる方法、導電性フィルムを金型に設置して成形と同時にその導電性フィルムを成形体の表面に一体化する方法などが採用される。
【手続補正７】
【補正対象書類名】明細書
【補正対象項目名】００４４
【補正方法】変更
【補正の内容】
【００４４】
そのほか、本発明の基板搬送用ボックスは、主要部材がポリオレフィン系発泡体でできているので、
・そのすぐれたクッション性により衝撃・振動などが加わったときであってもガラス基板（Ｇ）  の損傷が有効に防止されること、
・強度が大きく、引き裂きや摩擦に対しても大きな抵抗性を有し、発塵もなく、水洗等の洗浄も可能であること、
・ガラス基板（Ｇ）の支持が確実になされること、
・すぐれた断熱性を有するため（たとえば１５倍発泡のポリオレフィン系発泡体の場合で熱伝導率は０．０３６〜０．０３８Ｋｃａｌ／ｍ・ｈｒ・℃程度となる）、収容ガラス基板（Ｇ）が高温となったり、ガラス基板（Ｇ）に結露を生じたりすることがなく、水滴痕の発生や回路の破壊など基板の信頼性を損なうおそれもないこと、
・ボックス１個当りの樹脂使用量が著減するので、樹脂消費量の点でも製造コスト上有利となること、
・発泡体の成形はアルミニウム金型などの安価な金型を用いて低圧で行うことができるので、金型コストの点でも有利となること、
・少なくとも表面の体積固有抵抗値が１０３〜１０１２Ω・ｃｍのものを用いたときは、ガラス基板（Ｇ）の出入や搬送中における帯電が有効に防止されると共に、たとえ帯電しても体積固有抵抗値が上記範囲内にあるので減衰時間が０．５〜１秒というように一定時間保たれるため、減衰が適度の範囲でゆっくりと行われ、回路障害を起こすおそれがないこと、などの作用効果が奏される。
【手続補正８】
【補正対象書類名】明細書
【補正対象項目名】００５３
【補正方法】変更
【補正の内容】
【００５３】
２０重量％のカーボンブラックを含む導電性グレードの発泡性ポリプロピレン（帯電防止グレードの界面活性剤を内添した発泡性ポリプロピレンでもよい）を用いたほかは実施例１と同様にして、発泡体でできたボックス本体（１）、蓋体（２）およびサポート部材（３）を製造した。これらの発泡体の両表面の体積抵抗値（ＡＳＴＭ  Ｄ２５７準拠）はいずれも１０４〜１０１１Ω・ｃｍの範囲内にあった。雌雄の面ファスナ（４），（４）の取り付けも、実施例１と同様にして行った。この実施例２の基板搬送用ボックスは、ＴＦＴ形成済みガラス基板を収容し、搬送や保管に供する目的に好適であり、パックおよびアンパック操作は極めて円滑に行うことができた。